(57)【要約】【課題】  カード用コネクタの金属カバーの一部に多少の変形を加えることにより、金属カバーをグランド接続に利用して、カード用コネクタにおけるグランド効果をより高める。【解決手段】  信号端子とグランド端子を配した絶縁ハウジングと金属カバーを有する。グランド端子の可動部を、カード収容空間に挿入されたカード表面上のグランド接触部の垂直上方領域に位置付け、金属カバーの一部を、グランド端子の可動部の厚み方向においてグランド端子の可動部と重なり部分を有する状態で垂直上方領域に位置付けて、カードがカード収容空間に挿入されたとき、カード表面上のグランド接触部とグランド端子の可動部を接触させて、グランド端子の可動部を厚み方向において垂直上方領域に変位させ、且つ、この変位したグランド端子の可動部を垂直上方領域において金属カバーの一部と直接接触させ、あるいは、接触力を増加させる。【選択図】  図１
2005135667.tif 000002
【特許請求の範囲】
【請求項１】
信号端子とグランド端子を配した絶縁ハウジングとこの絶縁ハウジングの外部を覆う金属カバーを有するカード用コネクタであって、表面上に信号接触部とグランド接触部を配したカードが挿抜されるカード収容空間を前記絶縁ハウジングと前記金属カバーによって形成し、前記カード収容空間に前記カードが挿入されたときに前記カード表面上の信号接触部とグランド接触部が前記絶縁ハウジングの信号端子とグランド端子にそれぞれ接触する前記カード用コネクタにおいて、
前記グランド端子の可動部は、前記カード収容空間に挿入された前記カード表面上のグランド接触部の垂直上方領域に位置付けられており、
前記金属カバーの一部は、前記グランド端子の可動部の厚み方向において前記グランド端子の可動部と重なり部分を有する状態で前記垂直上方領域に位置付けられており、
前記カード収容空間に前記カードが挿入されたときに、前記カード表面上のグランド接触部と前記グランド端子の可動部が接触して、前記グランド端子の可動部を前記厚み方向において前記垂直上方領域に変位させ、この変位した前記グランド端子の可動部を前記垂直上方領域において前記金属カバーの一部と直接接触させること、あるいは、接触力を増加させることを特徴とするカード用コネクタ。
【請求項２】
信号端子とグランド端子を配した絶縁ハウジングとこの絶縁ハウジングの外部を覆う金属カバーを有するカード用コネクタであって、表面上に信号接触部とグランド接触部を配したカードが挿抜されるカード収容空間を前記絶縁ハウジングと前記金属カバーによって形成し、前記カード収容空間に前記カードが挿入されたときに前記カード表面上の信号接触部とグランド接触部が前記絶縁ハウジングの信号端子とグランド端子にそれぞれ接触する前記カード用コネクタにおいて、
前記グランド端子の可動部は、前記カード収容空間に挿入された前記カード表面上のグランド接触部の垂直上方領域に位置付けられており、
前記金属カバーの一部は、前記グランド端子の可動部の厚み方向において前記グランド端子の可動部と重なり部分を有する状態で前記垂直上方領域に位置付けられており、
前記カード収容空間に前記カードが挿入されているとき、前記グランド端子の可動部は、前記厚み方向の一方の側で、前記カード表面上のグランド接触部と前記垂直上方領域において接触しており、且つ、前記厚み方向のもう一方の側で、前記金属カバーの一部と前記垂直上方領域において直接接触していることを特徴とするカード用コネクタ。
【請求項３】
請求項１又は２記載のカード用コネクタにおいて、前記金属カバーはグランドに接続されており、前記グランド端子の可動部は前記垂直上方領域において弾性変位可能であるカード用コネクタ。
【請求項４】
請求項１乃至３のいずれかに記載のカード用コネクタにおいて、前記金属カバーの一部は、前記垂直上方領域に、前記カードを前記カード収容空間から抜き出す方向に延長して設けられているカード用コネクタ。
【請求項５】
請求項１乃至３のいずれかに記載のカード用コネクタにおいて、前記金属カバーの一部は、前記垂直上方領域に、前記カードを前記カード収容空間へ挿入する方向に延長して設けられているカード用コネクタ。
【請求項６】
請求項４又は５記載のカード用コネクタにおいて、前記グランド端子の可動部は、前記垂直上方領域に、前記金属カバーの一部の延長方向と逆方向に延長して設けられているカード用コネクタ。
【請求項７】
請求項１乃至６のいずれかに記載のカード用コネクタにおいて、前記金属カバーの他の一部は、前記垂直上方領域において前記カード収容空間側に突出しているカード用コネクタ。
【発明の詳細な説明】
【技術分野】
【０００１】
本発明はカード用コネクタ、更に言えば、カード用コネクタの金属カバーを利用してグランド効果を発揮させるカード用コネクタに関する。
【背景技術】
【０００２】
例えば、特開平２００３−５９５５７号公報に、従来のカード用コネクタの一例が示されている。この従来のカード用コネクタは、信号端子とグランド端子を配した絶縁ハウジングと、この絶縁ハウジングの外部を覆う金属カバーを有する。このカード用コネクタには、表面上に信号接触部とグランド接触部を配したＩＣカードが挿抜されるカード収容空間が形成されている。カード収容空間にＩＣカード等のカードが挿入されたとき、その表面上の信号接触部とグランド接触部は、対応する絶縁ハウジングの信号端子とグランド端子に、それぞれ接触する。
【０００３】
このような従来のカード用コネクタでは、絶縁ハウジングのグランド端子は、実質的に、グランド端子だけのために設けられた、基板上の端子用基板回路だけを通じて、グランドに接続されるようになっていたため、グランド接続が不十分となっており、この結果、ＩＣカードのグランド接触部におけるインピーダンスが高くなって、ノイズが生じ易くなっていた。
【０００４】
【特許文献１】特開平２００３−５９５５７号公報
【発明の開示】
【発明が解決しようとする課題】
【０００５】
本発明はこのような従来技術における問題点を解決するためになされたものであり、カード用コネクタの金属カバーの一部に多少の変形を加えることにより、カード用コネクタへのカードの挿入時に金属カバーをカード用コネクタのグランド接触部とのグランド接続のために利用できるようにして、カード用コネクタにおけるグランド効果を高めることを目的とする。
【課題を解決するための手段】
【０００６】
本発明は、信号端子とグランド端子を配した絶縁ハウジングとこの絶縁ハウジングの外部を覆う金属カバーを有するカード用コネクタであって、表面上に信号接触部とグランド接触部を配したカードが挿抜されるカード収容空間を前記絶縁ハウジングと前記金属カバーによって形成し、前記カード収容空間に前記カードが挿入されたときに前記カード表面上の信号接触部とグランド接触部が前記絶縁ハウジングの信号端子とグランド端子にそれぞれ接触する前記カード用コネクタにおいて、前記グランド端子の可動部は、前記カード収容空間に挿入された前記カード表面上のグランド接触部の垂直上方領域に位置付けられており、前記金属カバーの一部は、前記グランド端子の可動部の厚み方向において前記グランド端子の可動部と重なり部分を有する状態で前記垂直上方領域に位置付けられており、前記カード収容空間に前記カードが挿入されたときに、前記カード表面上のグランド接触部と前記グランド端子の可動部が接触して、前記グランド端子の可動部を前記厚み方向において前記垂直上方領域に変位させ、この変位した前記グランド端子の可動部を前記垂直上方領域において前記金属カバーの一部と直接接触させること、あるいは、接触力を増加させることを特徴としている。
また、本発明は、信号端子とグランド端子を配した絶縁ハウジングとこの絶縁ハウジングの外部を覆う金属カバーを有するカード用コネクタであって、表面上に信号接触部とグランド接触部を配したカードが挿抜されるカード収容空間を前記絶縁ハウジングと前記金属カバーによって形成し、前記カード収容空間に前記カードが挿入されたときに前記カード表面上の信号接触部とグランド接触部が前記絶縁ハウジングの信号端子とグランド端子にそれぞれ接触する前記カード用コネクタにおいて、前記グランド端子の可動部は、前記カード収容空間に挿入された前記カード表面上のグランド接触部の垂直上方領域に位置付けられており、前記金属カバーの一部は、前記グランド端子の可動部の厚み方向において前記グランド端子の可動部と重なり部分を有する状態で前記垂直上方領域に位置付けられており、前記カード収容空間に前記カードが挿入されているとき、前記グランド端子の可動部は、前記厚み方向の一方の側で、前記カード表面上のグランド接触部と前記垂直上方領域において接触しており、且つ、前記厚み方向のもう一方の側で、前記金属カバーの一部と前記垂直上方領域において直接接触していることを特徴としている。
【０００７】
上記カード用コネクタにおいて、前記金属カバーはグランドに接続されており、前記グランド端子の可動部は前記垂直上方領域において弾性変位可能であってもよい。
【０００８】
また、上記カード用コネクタにおいて、前記金属カバーの一部は、前記垂直上方領域に、前記カードを前記カード収容空間から抜き出す方向に、若しくは、前記カードを前記カード収容空間へ挿入する方向に延長して設けられていてもよい。
【０００９】
上記カード用コネクタにおいて、前記グランド端子の可動部は、前記垂直上方領域に、前記金属カバーの一部の延長方向と逆方向に延長して設けられていてもよい。
【００１０】
更に、上記カード用コネクタにおいて、前記金属カバーの他の一部は、前記垂直上方領域において前記カード収容空間側に突出していてもよい。
【発明の効果】
【００１１】
本発明によれば、カード用コネクタへのカード挿入時に、単にカードを挿入するだけで、カードのグランド接触部が金属カバーに電気的に接触するようにして、グランド接触部と金属カバーとの接触を通じてカードを効率的にグランド接続することができる。故に、本発明によれば、カードのインピーダンスを低くして、ノイズの発生を効果的に防止することができる。
【発明を実施するための最良の形態】
【００１２】
１．構成
図１乃至図３に、本発明の一つの好ましい実施形態によるカード用コネクタの斜視図で示す。図１は、このカード用コネクタの完成斜視図、図２は、分解斜視図、図３は、前側側面付近の一部部分拡大斜視図である。
【００１３】
カード用コネクタ１は、主に、絶縁ハウジング３と、この絶縁ハウジング３に取り付ける接触端子２１、２２と金属カバー５、更に、カードの挿抜制御部材、例えば、イジェクター７１、ピン７２、スプリングバネ７３から成る。尚、ここで使用するカード（後述する図５に示されている）は、一般に使用されている平坦のＩＣカード等であると考えてよい。一般に、このようなカードの表面上には、信号伝達に用いる信号接触部と、グランド接続に用いるグランド接触部（図５の９１）が複数配列されている。尚、これら信号接触部やグランド接触部の数や位置は、一般に、規格によって定められているが、本実施形態では、その一例として、計９個の信号接触部と２個のグランド接触部が設けられているものと仮定する。但し、勿論、これに限られるものではない。
【００１４】
１−１．絶縁ハウジング
絶縁ハウジング３は、例えば、樹脂の成形によって製造されている。絶縁ハウジング３の上面３１と後方側面３２は開放状態とされている。特に開放上面３１は、金属カバー５によって実質的に覆われる。絶縁ハウジング３に金属カバー５を固定するため、開放された上面３１と、開放された後方側面３２以外の側面（即ち、左右側面３０と前方側面３３）には、傾斜面付突起部３４や引っ掛け部３５が適宜設けられている。絶縁ハウジング３に金属カバー５が固定されたとき、絶縁ハウジング３と金属カバー５の一部によって、ＩＣカードを配置する中空のカード収容空間３６が形成される。ＩＣカードはこのカード収容空間３６に、開放された後方側面３２を通じて挿抜される。
【００１５】
絶縁ハウジング３の前方側面３７に、接触端子２１、２２を配列するための複数の接触端子配列部３８が設けられている。接触端子２１、２２は、これらの各接触端子配列部３８に、カード収容空間３６に対するＩＣカードの挿抜方向に沿って配列、固定されている。接触端子の数や種類は規格によって定まるが、ここでは、上述したＩＣカードに対応して、所定の対応位置に計１１個の接触端子２１、２２（それらのうち９個は通常の信号伝達に用いる信号端子２１、残る２個はグランド接続のために用いるグランド端子２２である）が設けられている。これらの接触端子２１、２２は各々、ＩＣカードがカード収容空間３６に挿入されたときに、端子の厚み方向（例えば、グランド端子可動部２２の厚み２２６の方向）（換言すれば、カード収容空間３６に対するＩＣカードの挿入方向に略直交する方向）（以下、単に「端子厚方向」）に上下に変位しつつ、ＩＣカード表面上の信号接触部やグランド接触部９１の対応部分と弾性接触し得る。
【００１６】
開放された後方側面３２からみて左側の側面に、ＩＣカードの挿抜制御部材、例えば、イジェクター７１、ピン７２、及びスプリングバネ７３を組み付けるための組付空間３７が設けられている（但し、右側の側面に設けてもよい）。この組付空間３７の前方側には、絶縁ハウジング３の前方側面３７の内壁から組み付け空間に向かって伸びる、スプリングバネ７３のための位置決め円柱突起３８が設けられており、一方、組付空間３７の後方側面には、垂直方向に延びるピン７２の一端７２１を所定の角度範囲で回転自在に位置決めする半円状引掛部３９が設けられている。位置決め円柱突起３８の外部を取り囲むようにしてスプリングバネ７３の一端７３１をこの位置決め円柱突起３８に組み付けるとともに、スプリングバネ７３の他端７３３をスプリングバネ７３の付勢力に抗してイジェクター７１の一端側に設けたスプリングバネ挿入穴７１１に挿入し、更に、ピン７２の一端７２１を半円状引掛部３９に配置するとともに、ピン７２の他端７２３をイジェクター７１の他端側に設けたハート型摺接部７１２周囲にスライド可能に配置することにより、ＩＣカードのプッシュ式挿抜機構を形成することができる。尚、このタイプの挿抜機構は従来からよく用いられており、当業者にはよく知られているため、ここではこれ以上説明しない。
【００１７】
１−２．金属カバー
金属カバー５は、例えばステンレス鋼板のような金属の薄板を打ち抜き、折り曲げ加工することにより製造される。したがって、その加工は比較的容易である。
【００１８】
金属カバー５は、絶縁ハウジング３の外部を覆う。金属カバー５は、一般に、衝撃保護やシールドとして機能するが、本発明では、更に、ＩＣカードのグランド接続のために機能する。グランド接続を有効なものとするため、金属カバー５は、好ましくは、グランド端子２２と同様にグランド６に接続される。グランド６への接続は、グランド端子２２をグランド接続するために用いる端子用基板回路６１と同様の、金属カバー用基板回路６４を介して行うことができる。
【００１９】
金属カバー５の前方側面５１は、接触端子２１、２２を露出させるために、略中央部分が開放されている。同様に、その後方側面５２は、ＩＣカードの挿入のために、略全ての部分が開放されている。一方、その左右側面５３は、実質的に閉じた状態とされている。これら側面５１乃至５３には、金属カバー５を絶縁ハウジング３に固定するため、絶縁ハウジング３の傾斜面付突起部３４や矩形引掛け部３５に対応して、固定穴５４や固定突起５５が適宜設けられている。
【００２０】
金属カバー５の上面両側の後方に、カード収容空間３６に挿入されたカードを固定するため、金属カバー５の一部をカード収容側に切り起こすことによって形成された大小２組のカード保持変位部５６Ａ、Ｂが設けられている。これらのカード保持変位部５６により、カード収容空間３６に挿入されたカードを上方下方に向かって抑えつけ、ＩＣカードの抜け落ちを防止することができる。
【００２１】
また、金属カバー５の上面両側の前方には、絶縁ハウジング３に組み付けられたスプリングバネ７３等へのアクセスを容易にするため、矩形のアクセス穴５７が設けられている。更に、金属カバー５上面の、特に、絶縁ハウジング３の組付空間３７の上部には、組付空間３７に配置したピン７２を上方から押さえつけるため、金属カバー５の一部をカード収容側に切り起こすことによって形成されたピン保持用変位部５８が設けられている。
【００２２】
金属カバー５の上面前方側に、各接触端子２１、２２に対応して１つずつ、金属カバー５を切り欠いて形成された逃し穴５９が設けてある。これらの逃し穴５９は、ＩＣカードがカード収容空間３６に挿入されることによって、カード用コネクタの信号端子２１やグランド端子２２が上方に変位したときに、これら変位した信号端子２１やグランド端子２２の上方に向いた先端部２２１付近をカード収容空間３６の外部に逃す働きを持つ。
【００２３】
１−３．グランド片
金属カバー５の一部を変形することによって、２個のグランド片６０が形成されている。上述した逃し穴５９は、これらグランド片６０の略中心に設けられている。したがって、グランド片６０は、全体として略矩形の輪状を成している。
【００２４】
グランド片６０は、ＩＣカードをカード収容空間３６へ挿入する方向に延長された状態で片持ち梁状に、且つ、上述した端子厚方向においてグランド端子２２と重複部分を有するような状態で、カード収容空間３６に挿入されたＩＣカード表面上のグランド接触部９１の垂直上方領域（以下、単に「垂直上方領域」）に設けられている。これらグランド片６０は、上述した端子厚方向においてＩＣカードの垂直上方領域で弾性変位可能とされていてもよい。
【００２５】
これらのグランド片６０は、少なくともカード収容空間３６側において、カード収容空間３６に露出した状態とされている。この結果、グランド片６０はグランド端子２２と直接接触し得る。グランド片６０は、このグランド端子２２との接触を通じて、ＩＣカードをグランド６に接続する機能を持つ。
【００２６】
グランド片６０の先端部６１は、先端部付近を折り曲げることによって、全体的に下方に位置付けられている。また、先端部６１の先端には、更に下方に突出する曲面状凸部６２が圧延加工によって形成されている。グランド片６０は、この曲面状凸部６２を通じて、例えば常時（少なくとも、カード収容空間３６にＩＣカードが挿入されているときは）、グランド端子２２と直接接触され得る。
【００２７】
１−４．カード規制部
グランド片６０の根元付近に、金属カバー５の一部を変形することによって、カード規制部６３が設けられている。カード規制部６３は、逃し穴５９の内側に向かってカード収容空間３６側に突出するように構成されている。特に、その先端付近の下方湾曲部６３０は、上述した垂直上方領域に配置されている。このように、カード規制部６３をグランド片６０の対応位置に配置することとしたのは、カード規制部６３が、ＩＣカード表面上のグランド接触部とのみ接触するようにするためである。更に言えば、信号接触部と接触しないようにするためである。カード規制部６３が信号接触部と接触してしまった場合、電気ショートが生じる危険がある。
【００２８】
このカード規制部６３には、主に、２つの働きがある。１つは、カード用コネクタへのＩＣカードの挿入時にＩＣカードが上方へ持ち上げられてしまう範囲を規制すること、また、これによって、接触端子２１、２２やグランド片６０の過変形を防止すること、もう１つは、この規制を通じて、ＩＣカードとグランド端子２２（信号端子２１も同様）の接続を確実にすることである。後者の点は更に後述する。
【００２９】
１−５．グランド端子
上述したように、接触端子には、信号端子２１とグランド端子２２の２タイプ存在するが、ここでは、グランド端子２２を中心に説明する。信号端子２１は一般的なものと同様である。ただし、グランド端子２２と信号端子２１は、それらの機能が異なるだけで、構造的には実質的に同じものと考えてよい。
【００３０】
グランド端子２２は、固定部２２１と、装着部２２４と、可動部２２５から成る。固定部２２１は、半田等によって基板に固定される部分であって、端子用基板回路６１を通じてグランド６に接続される。装着部２２４は、固定部２２１に対して垂直に配置されており、絶縁ハウジング３外面に設けた垂直配列溝に装着される。可動部２２５は、この装着部２２４に対して垂直に配置されており、装着部２２４に連結する基部が絶縁ハウジング３の接触端子配列部３８に挿入されて圧入・固定される。
【００３１】
特に、可動部２２５は、絶縁ハウジング３の内部において、ＩＣカードをカード収容空間３６から抜き出す方向に延長された状態で、片持ち梁状に設けられており、上述した端子厚方向において垂直上方領域にて上下に弾性変位可能である。
【００３２】
明らかなように、可動片２２５の延長方向は、上述したグランド片６０の延長方向、即ち、ＩＣカードをカード収容空間３６へ挿入する方向とは逆方向である。このように、本実施形態では、可動部２２５とグランド片６０の延長方向は互いに逆とされているが、このような場合であっても、上述したように可動部２２５の自由端側がグランド片６０の逃し穴５９に逃げるようになっていることから、可動部２２５とグランド片６０同士が実質的に干渉し合うことはなく、この結果、可動部２２５におけるバネ長を十分に確保して、そのバネ性を確保することができる。
【００３３】
可動部２２５の先端付近に、下方に向かって湾曲させることによって端子接触部２２２が形成されている。カード用コネクタへのＩＣカードの挿入時に、この端子接触部２２２の下部付近が、ＩＣカードのグランド片６０と物理的且つ電気的に接触する。尚、カード収容空間３６の底面４０からこの端子接触部２２２までの距離アは、底面４０からカード規制部の下方湾曲部６３０までの距離イよりも、小さく設定されていることから、カード規制部６３は、ＩＣカードのグランド接触部９１と接触する前に、必ず、グランド端子２２と接続し得る。
【００３４】
可動部２２５の中間付近２２３は、全体的に多少山状に折り曲げられており、その頂上付近の上面において、グランド片６０の曲面状凸部６２と接触するようになっている。この接触は、カード用コネクタへのＩＣカードの挿入前においては比較的小さな接圧となるように、一方、挿入後においてはグランド端子２２の上方への弾性変位に応答してより大きな接圧となるように、調整されている。尚、可動部２２５とグランド片６０がＩＣカード挿入前において接触しているかどうかは、ここでは重要ではなく、ＩＣカード挿入後において、それらが確実に（直接）接触されれば足りる。更に言えば、可動部２２５とグランド片６０は、ＩＣカード挿入前からそれらが接触している場合には、ＩＣカード挿入後においては、それら接触力を増加させた状態とされ、一方、ＩＣカード挿入前においてはそれらが接触していない場合には、ＩＣカード挿入後においては、それらは確実に接触された状態となる。尚、ＩＣカード挿入前において比較的小さな接圧に調整したのは、グランド端子２２に対するグランド片６０の接圧が大きいと、カード用コネクタ製造時に用いる高温雰囲気中のリフロー熱によって、可動部２２５がグランド片６０による接圧によって下方に変形されたままの状態となることを避けるためである。
【００３５】
２．動作
図４、図５に、図３の４−４線断面図をそれぞれ示す。図５は特に、カード収容空間３６にＩＣカードが挿入されつつある状態を示している。尚、図５から明らかなように、ＩＣカードにおいて、ＩＣカード表面上のグランド接触部９１（信号接触部も同様である）は、その構造上、ＩＣカードの厚み方向において、周辺部分よりも若干低く設定されている（カード収容空間３６の底面４０側に引っ込んだ位置にある）。
【００３６】
カード収容空間３６にＩＣカード９が挿入されると、この挿入動作に応答して（自動的に）、ＩＣカード表面上のグランド接触部９１は、グランド端子可動部２２の厚み（２２６）方向の一方の側において可動部２２５の端子接触部２２２と直接接触し、これによって、可動部２２５がその厚み２２６方向において、上述した垂直上方領域へ変位され、更に、この変位によって、可動部２２５の中間付近２２３は、グランド端子可動部２２の厚み（２２６）方向のもう一方の側においてグランド片６０の曲面状凸部６２と直接的に（確実に）接触される。この結果、ＩＣカードのグランド接触部９１は、グランド端子２２を介して、金属カバー５と間接的に電気接続されることとなり、ＩＣカードのグランド接触部９１は、グランド端子２２のみならず、金属カバー５を通じてグランドにも接続されることになる。尚、ここでは、接触端子２２の一部がグランド端子として利用されることとなっているため、カードの挿入・抜去動作には何ら支障を生じさせずに、グランド端子をＩＣカードの接触部９１と確実に安定的に接触させることができる。
【００３７】
尚、従来は一般に、グランド端子２２は、比較的細長い経路である端子用基板回路６１（図１参照）のみを通じてグランド６に接続されていたが、本発明の構成によれば、グランド端子２２は、端子用基板回路６１だけでなく、この端子用基板回路６１に比して相当に大きな領域６５を持つ金属カバー５にも接続されるため、従来に比して、より有効なグランド効果を得ることができる。しかも、このグランド端子２２と金属カバー５は直接接触されることから、この点においても、より有効なグランド効果を得ることができると言える。更に言うと、金属カバー５は、最終的には、端子用基板回路６１と同様の比較的細長い経路である金属カバー用基板回路６４を通じてグランド６に接続されることになっているが、従来のように、グランド端子２２から直接的に基板回路６１に接続されるだけではなく、比較的大きな金属カバー５という経路を介して基板回路６４にも接続されることとなっているから、そのグランド効果は非常に大きいということができるのである。このように、本発明によれば、このようなグランド端子２２と金属カバー５の直接接触を通じて、ＩＣカードのグランド接触部９１におけるインピーダンスを効果的に低減させることができ、更に、ＩＣカードのグランド接触部９１が、その垂直上方領域において、金属製のグランド端子２２やグランド片６０によって常に覆われることから、これらの構成によってノイズの発生を効果的に抑制することができる。
【００３８】
３．その他
上の実施形態では、グランド片６０はＩＣカードをカード収容空間３６から抜き出す方向に延長して設けるとしたが、逆に、カードをカード収容空間３６へ挿入する方向に延長して設けてもよい。また、金属カバー５は、好ましくは、グランドに接続されるとしたが、必ずしもグランドに接続される必要はなく、グランドに接続されなくともグランド効果は得られる。尚、本発明のカード用コネクタで使用されるカードの形は特に限定されるものではなく、その表面上等にグランド接触部が配列されていれば足りる。更に言えば、グランド接触部は、必ずしもカード表面上にある必要はなく、裏面上にあってもよい。上述した本発明の構成によれば、グランド接触部がカードの表面上、裏面上、若しくはそれら両面上のいずれにあっても、上と同様の方法でグランド効果を得ることができる。
【産業上の利用可能性】
【００３９】
本発明は、金属カバーを有するカード用コネクタ一般に幅広く適用することができる。
【図面の簡単な説明】
【００４０】
【図１】本発明の一つの好ましい実施形態によるカード用コネクタの完成斜視図。
【図２】本発明の一つの好ましい実施形態によるカード用コネクタの分解斜視図。
【図３】本発明の一つの好ましい実施形態によるカード用コネクタの前側側面付近の一部部分拡大斜視図。
【図４】図３の４−４線断面図。
【図５】図３の４−４銭断面図であって、カード収容空間にＩＣカードが挿入されつつある状態を示す図。
【符号の説明】
【００４１】
１  カード用コネクタ
３  絶縁ハウジング
５  金属カバー
５９  逃し穴
９１  グランド接触部
２１  信号端子
２２  グランド端子
６０  グランド片
６３  カード規制部
２２６  グランド端子可動部の厚み
【図１】
2005135667.tif 000003
【図２】
2005135667.tif 000004
【図３】
2005135667.tif 000005
【図４】
2005135667.tif 000006
【図５】
2005135667.tif 000007